(57)【要約】【課題】ミラー面上での照度分布の偏りを小さくし、照度ムラの少ない画像を投影するＤＬＰ方式のプロジェクタを提供することである。【解決手段】プロジェクタは、ランプと、入射光を面状の光にして出射するインテグレータ１４と、インテグレータ１４からの出射光を拡大するダブレットレンズ１５と、ダブレットレンズ１５からの出射光を反射するミラーとを有する光学エンジンを備え、インテグレータ１４の出射面１４ａの中心から出射させた所定角の発散光３１と、インテグレータ１４の出射面１４ａの全面から出射させた平行光３０とを、光軸に垂直な同じ断面で比較した場合、発散光３１の断面積と平行光３０の断面積との差が最小になる断面と、光軸と、の交点上にミラー１６を配置する構成とする。【選択図】図５
2008139723.tif 000002
【特許請求の範囲】
【請求項１】
ランプと、
入射光を時分割でＲ、Ｇ、Ｂの光に分離するカラーホイールと、
該カラーホイールからの出射光を面状の光にして出射するロッド型のインテグレータと、
該インテグレータからの出射光を拡大するダブレットレンズと、
該ダブレットレンズからの出射光を反射するミラーと、
該ミラーからの反射光を拡大するリレーレンズと、
複数のミラー素子が縦横に規則的に配列され、各ミラー素子を個別に制御でき、前記リレーレンズからの出射光を画像光に変調するデジタルミラーデバイスと、
該デジタルミラーデバイスからの画像光を投射するプロジェクションレンズとを有する光学エンジンを備えたプロジェクタにおいて、
前記インテグレータの出射面の中心から、前記ランプの出射光が収束する角度で出射させた発散光と、前記インテグレータの出射面の全面から出射させた平行光とを、光軸に垂直な同じ断面で比較した場合、前記発散光の断面積と前記平行光の断面積との差が最小になる断面と、光軸と、の交点上に前記ミラーを配置することを特徴とするプロジェクタ。
【請求項２】
ランプと、
入射光を面状の光にして出射するインテグレータと、
該インテグレータからの出射光を拡大する１以上のレンズと、
該レンズからの出射光を反射するミラーとを有する光学エンジンを備えたプロジェクタにおいて、
前記インテグレータの出射面の中心から出射させた所定角の発散光と、前記インテグレータの出射面の全面から出射させた平行光とを、光軸に垂直な同じ断面で比較した場合、前記発散光の断面積と前記平行光の断面積との差が最小になる断面と、光軸と、の交点上に前記ミラーを配置することを特徴とするプロジェクタ。
【請求項３】
ランプと、
入射光を面状の光にして出射するインテグレータと、
該インテグレータからの出射光を拡大する１以上のレンズと、
該レンズからの出射光を反射するミラーとを有する光学エンジンを備えたプロジェクタにおいて、
前記インテグレータの出射面の中心から出射させた所定角の発散光と、前記インテグレータの出射面の全面から出射させた平行光とを、光軸に垂直な同じ断面で比較した場合、前記発散光の前記インテグレータの短辺方向の幅と前記平行光の前記インテグレータの短辺方向の幅とが一致する断面と、光軸と、の交点上に前記ミラーを配置することを特徴とするプロジェクタ。
【請求項４】
ランプと、
入射光を面状の光にして出射するインテグレータと、
該インテグレータからの出射光を拡大する１以上のレンズと、
該レンズからの出射光を反射するミラーとを有する光学エンジンを備えたプロジェクタにおいて、
前記インテグレータの出射面の中心から出射させた所定角の発散光と、前記インテグレータの出射面の全面から出射させた平行光とを、光軸に垂直な同じ断面で比較した場合、前記発散光の前記インテグレータの長辺方向の幅と前記平行光の前記インテグレータの長辺方向の幅とが一致する断面と、光軸と、の交点上に前記ミラーを配置することを特徴とするプロジェクタ。
【請求項５】
前記所定角と前記ランプの出射光が収束する角度とが同じであることを特徴とする請求項２〜４の何れかに記載のプロジェクタ。
【請求項６】
前記光学エンジンはさらに、
前記ランプからの入射光を時分割でＲ、Ｇ、Ｂの光に分離するカラーホイールと、
前記ミラーからの反射光を拡大するリレーレンズと、
該リレーレンズからの出射光を画像光に変調する画像生成素子と、
該画像生成素子からの画像光を投射するプロジェクションレンズとを備えたことを特徴とする請求項２〜５の何れかに記載のプロジェクタ。
【請求項７】
前記画像生成素子は、複数のミラー素子が縦横に規則的に配列され、各ミラー素子を個別に制御できるデジタルミラーデバイスであることを特徴とする請求項６記載のプロジェクタ。
【発明の詳細な説明】
【技術分野】
【０００１】
本発明は、ＤＬＰ（Digital Light Processing）（登録商標）方式のプロジェクタに関する。
【背景技術】
【０００２】
従来より、パソコンやビデオカメラ等からの画像データを基に、ランプから出射される光を用いて画像生成素子により画像を形成し、その画像をスクリーン等に投影させるプロジェクタが知られている。
【０００３】
この種のプロジェクタの一方式として、多数のミラー素子が縦横に規則的に配列され、各ミラー素子を個別に制御できるＤＭＤ（Digital Mirror Device）（登録商標）を用いて、画像をスクリーン上に投影するＤＬＰ方式がある。
【０００４】
このＤＬＰ方式のプロジェクタは、スクリーン上に投影する画像に基づいて、ＤＭＤの各ミラー素子を個別に、照明光をプロジェクションレンズに入射させる方向、又は入射させない方向、の２つの方向の何れかに駆動することで、画像をスクリーン上に投影する。
【０００５】
スクリーン上には、プロジェクションレンズに入射された照明光による画像が投影される。周知のように、ＤＬＰ方式のプロジェクタでは、ＤＭＤにおけるミラー素子の総数がスクリーン上に投影される画像の画素数である。ＤＭＤのミラー素子は微小であり、例えば２０ｍｍ×３５ｍｍのエリアであれば２３０万個配列することができる。したがって、ミラー素子の総数がより多いＤＭＤを用いることで、光学系のサイズの大型化を抑え、より画素数の多い、高精細な画像をスクリーン上に投影できる。
【０００６】
また、ＤＬＰ方式のプロジェクタでは、光源からプロジェクションレンズまでの光路に複数の光学部品、例えばカラーホイール、インテグレータ、レンズ、ミラー、ＤＭＤが配置されている。そして、光学部品の種類やその配置は、目的によって様々なものが提案されている。
【０００７】
例えば、特許文献１には、光源ランプから射出されフィールドレンズを通して入射した光束を、マイクロミラーの角度を変化させることにより画像情報に応じて光変調するＤＭＤと、このＤＭＤで変調された光束をフィールドレンズを通して拡大投写する投写光学系とを備え、光源ランプから投写光学系に至る照明光軸に対してフィールドレンズの姿勢を調整する姿勢調整機構を有したプロジェクタが開示されている。
【０００８】
また例えば、特許文献２には、光源と、この光源からの光線を集光して仮想的な２次光源を作る集光ミラーと、集光ミラーから射出する白色光から光の３原色を経時的に作り出すカラーフィルタと、カラーフィルタを通過した光線が入射するライトトンネルと、ライトトンネルを出た光線が通過するリレーレンズと、リレーレンズを通過した光線が入射する第１ミラーと、第１ミラーによる反射光が入射する第２ミラーと、基板上にマトリックス状に配列された複数の微小ミラーを備え、その複数の微小ミラーは、各々傾きを独立して変化させて反射光の出射角度を変化させることによりオン状態とオフ状態を作る、第２ミラーによる反射光が入射する反射表示素子と、複数の微小ミラーによるオン状態の反射光が入射し、この入射光を拡大して投影する投影レンズと、を有し、リレーレンズと、第１ミラー及び第２ミラーを投影レンズの光軸を挟んで反対側に配置する画像表示装置が開示されている。
【０００９】
また例えば、特許文献３には、光路変位素子たる円環プリズムにより光走査を行う光走査手段を備え、白色光源ランプ、レンズ、光をＲ、Ｇ、Ｂに分離するダイクロイックミラー、分離光Ｒ、Ｇ、Ｂを円環プリズムに投射する拡散整形用のロッド、円環プリズムを回転させる回転手段、投射レンズ、反射鏡、光変調素子、投射光学系とを具備する投影画像表示装置が開示されている。
【特許文献１】特開２００４−１１７９３１号公報
【特許文献２】特開２００６−２３４４１号公報
【特許文献３】特開２００５−２５０２３２号公報
【発明の開示】
【発明が解決しようとする課題】
【００１０】
上記の特許文献１から特許文献３でも採用されているように、通常、ＤＬＰ方式のプロジェクタにおいては、製品の寸法を小さくするため、ミラーを配置して光路を曲げている。ミラーは光軸に対して斜めに配置されるので、ミラー面上の照度分布には偏りが生じる。ミラー面上の照度分布の偏りは、そのままＤＭＤ面上の照度分布、ひいてはスクリーン上の照度分布に影響するので、できるだけミラー面上で均一な照度分布を得ることが望ましい。しかしながら、特許文献１から特許文献３には、ミラー面上での照度分布の偏りについては記載されていない。
【００１１】
本発明は、ミラー面上での照度分布の偏りを小さくし、照度ムラの少ない画像を投影するＤＬＰ方式のプロジェクタを提供することを目的とする。
【課題を解決するための手段】
【００１２】
上記目的を達成するために本発明は、ランプと、入射光を面状の光にして出射するインテグレータと、該インテグレータからの出射光を拡大する１以上のレンズと、該レンズからの出射光を反射するミラーとを有する光学エンジンを備えたプロジェクタにおいて、前記インテグレータの出射面の中心から出射させた所定角の発散光と、前記インテグレータの出射面の全面から出射させた平行光とを、光軸に垂直な同じ断面で比較した場合、前記発散光の断面積と前記平行光の断面積との差が最小になる断面と、光軸と、の交点上に前記ミラーを配置することを特徴とする。
【００１３】
また本発明は、ランプと、入射光を面状の光にして出射するインテグレータと、該インテグレータからの出射光を拡大する１以上のレンズと、該レンズからの出射光を反射するミラーとを有する光学エンジンを備えたプロジェクタにおいて、前記インテグレータの出射面の中心から出射させた所定角の発散光と、前記インテグレータの出射面の全面から出射させた平行光とを、光軸に垂直な同じ断面で比較した場合、前記発散光の前記インテグレータの短辺方向の幅と前記平行光の前記インテグレータの短辺方向の幅とが一致する断面と、光軸と、の交点上に前記ミラーを配置することを特徴とする。
【００１４】
また本発明は、ランプと、入射光を面状の光にして出射するインテグレータと、該インテグレータからの出射光を拡大する１以上のレンズと、該レンズからの出射光を反射するミラーとを有する光学エンジンを備えたプロジェクタにおいて、前記インテグレータの出射面の中心から出射させた所定角の発散光と、前記インテグレータの出射面の全面から出射させた平行光とを、光軸に垂直な同じ断面で比較した場合、前記発散光の前記インテグレータの長辺方向の幅と前記平行光の前記インテグレータの長辺方向の幅とが一致する断面と、光軸と、の交点上に前記ミラーを配置することを特徴とする。
【００１５】
上記のプロジェクタにおいて、実際の製品でインテグレータから出射される光線の出射角に基づけば、前記所定角と前記ランプの出射光が収束する角度とが同じであることが望ましい。
【００１６】
また上記のプロジェクタにおいて、前記光学エンジンはさらに、前記ランプからの入射光を時分割でＲ、Ｇ、Ｂの光に分離するカラーホイールと、前記ミラーからの反射光を拡大するリレーレンズと、該リレーレンズからの出射光を画像光に変調する画像生成素子と、該画像生成素子からの画像光を投射するプロジェクションレンズとを備えている。
【００１７】
また、前記画像生成素子は、複数のミラー素子が縦横に規則的に配列され、各ミラー素子を個別に制御できるデジタルミラーデバイスを用いることが好ましい。
【００１８】
本発明を具体化すると、ランプと、入射光を時分割でＲ、Ｇ、Ｂの光に分離するカラーホイールと、該カラーホイールからの出射光を面状の光にして出射するロッド型のインテグレータと、該インテグレータからの出射光を拡大するダブレットレンズと、該ダブレットレンズからの出射光を反射するミラーと、該ミラーからの反射光を拡大するリレーレンズと、複数のミラー素子が縦横に規則的に配列され、各ミラー素子を個別に制御でき、前記リレーレンズからの出射光を画像光に変調するデジタルミラーデバイスと、該デジタルミラーデバイスからの画像光を投射するプロジェクションレンズとを有する光学エンジンを備えたプロジェクタにおいて、前記インテグレータの出射面の中心から、前記ランプの出射光が収束する角度で出射させた発散光と、前記インテグレータの出射面の全面から出射させた平行光とを、光軸に垂直な同じ断面で比較した場合、前記発散光の断面積と前記平行光の断面積との差が最小になる断面と、光軸と、の交点上に前記ミラーを配置する構成となる。
【発明の効果】
【００１９】
本発明によれば、インテグレータの出射面の中心から出射させた所定角の発散光と、インテグレータの出射面の全面から出射させた平行光とを、光軸に垂直な同じ断面で比較した場合、発散光の断面積と平行光の断面積との差が最小になる断面と、光軸と、の交点上にミラーを配置することにより、ミラー面上での照度分布の偏りが最も小さくなり、画像生成素子上の照度分布、ひいてはスクリーン上の照度分布の偏りが最も小さくなり、照度ムラの少ない画像を投影することができる。
【００２０】
また本発明によれば、インテグレータの出射面の中心から出射させた所定角の発散光と、インテグレータの出射面の全面から出射させた平行光とを、光軸に垂直な同じ断面で比較した場合、発散光のインテグレータの短辺方向の幅と平行光のインテグレータの短辺方向の幅とが一致する断面と、光軸と、の交点上にミラーを配置することにより、ミラー面上でのインテグレータの短辺方向の照度分布の偏りが小さくなり、画像生成素子上のインテグレータの短辺方向の照度分布、ひいてはスクリーン上のインテグレータの短辺方向の照度分布の偏りが小さくなり、スクリーンのインテグレータの短辺方向の両端部において照度ムラの少ない画像を投影することができる。
【００２１】
また本発明によれば、インテグレータの出射面の中心から出射させた所定角の発散光と、インテグレータの出射面の全面から出射させた平行光とを、光軸に垂直な同じ断面で比較した場合、発散光のインテグレータの長辺方向の幅と平行光のインテグレータの長辺方向の幅とが一致する断面と、光軸と、の交点上にミラーを配置することにより、ミラー面上でのインテグレータの長辺方向の照度分布の偏りが小さくなり、画像生成素子上のインテグレータの長辺方向の照度分布、ひいてはスクリーン上のインテグレータの長辺方向の照度分布の偏りが小さくなり、スクリーンのインテグレータの長辺方向の両端部において照度ムラの少ない画像を投影することができる。
【発明を実施するための最良の形態】
【００２２】
図１は、プロジェクタの外観を示す斜視図であり、図２は、図１のプロジェクタの光学エンジンの構成を示す一部破断した平面図である。プロジェクタ１は、パソコンやビデオカメラ等からの画像データを基に、ランプ２から出射される光を用いて画像生成素子３により画像を形成し、その画像をプロジェクションレンズ４を通してスクリーン等に投影させる装置である。図２において一点鎖線は光軸を示している。
【００２３】
プロジェクタ１は、ランプ２と、画像生成素子３及びプロジェクションレンズ４を含む画像投射光学系１０とから構成される光学エンジン５を備える。光学エンジン５は筐体２０で覆われている。
【００２４】
ランプ２は、楕円面形状のリフレクタと、その第１焦点に画像投射用の光を出射する光源とを有している。リフレクタとしては、放物面鏡や楕円面鏡などを用いることができる。光源としては、例えば白色光を出射するものが用いられ、ハロゲンランプ、メタルハライドランプ、高圧水銀ランプなどを用いることができる。
【００２５】
画像投射光学系１０は、ランプ２からの光を用いて画像を形成し、その画像を投射するものであり、上述の画像生成素子３及びプロジェクションレンズ４に加え、カラーホイール１２と、インテグレータ１４と、ダブレットレンズ１５と、ミラー１６と、リレーレンズ１７とを備えている。
【００２６】
画像生成素子３は、光を反射することにより画像を形成する素子であり、それによって入射光を画像光に変調する。画像生成素子３は回路基板１８上に設けられている。この画像生成素子３としては、多数のミラー素子が縦横に規則的に配列され、各ミラー素子を個別に制御できるＤＭＤを用いることが望ましい。
【００２７】
プロジェクションレンズ４は、画像生成素子３により反射された光、すなわち画像生成素子３からの画像光を投射するレンズ群であり、筐体２０に設けられた開口２１に臨む位置に配置されている。レンズ群とすることにより、ＲＧＢの各色光の色収差等に起因する投影画像の不鮮明さを防止している。
【００２８】
カラーホイール１２は、インテグレータ１４の前に設けられ、その回転方向にＲ、Ｇ、Ｂのフィルタが配列されてなる略円盤形状のものであり、回転軸１１ａを軸心として回転し、コリメータレンズ１１からの出射光を時分割でＲ、Ｇ、Ｂの光に分離する。
【００２９】
インテグレータ１４は、入射光を均一化し面状の光にして出射するものであり、ランプ２の第２焦点付近にその入射面が配置されている。インテグレータ１４は、マイクロレンズアレイ１３からの出射光を面状の光にして出射するロッド型とすることが好ましい。ロッドとしては、ガラスロッドなどの中実タイプのロッド、又は内面を鏡面とした中空タイプのロッドを採用できる。中実タイプのロッドによれば、ロッド内の内面反射における反射率をほぼ１００％とすることができるので、中空タイプのものよりも光効率が良い。
【００３０】
ダブレットレンズ１５は、インテグレータ１４からの出射光を拡大する２枚のレンズからなる。なお、ダブレットレンズ１５に代えて１枚のレンズや３枚以上のレンズ群を用いてもよい。ミラー１６は、ダブレットレンズ１５からの出射光を反射するものであり、光路を曲げることによって画像投射光学系１０をコンパクトにしている。リレーレンズ１７は、ミラー１６からの反射光を拡大するレンズである。
【００３１】
ここで、ダブレットレンズ１５及びリレーレンズ１７を用いてインテグレータ１４からの面状の出射光が画像生成素子３を覆う大きさに拡大されているので、どちらか一方のレンズをなくし、他方のレンズのみでその役割をはたすようにしてもよい。
【００３２】
次に、照度ムラを減少させるため、最適なミラー１６の位置を算出する手法について説明する。これには、光線追跡によるシミュレーションを用いる。このシミュレーションにおいて、ここでは、インテグレータ１４の出射面１４ａの中心から出射面１４ａに垂直な方向が光軸となるように、ランプ２の出射光が収束する角度で出射させた発散光と、インテグレータ１４の出射面１４ａの全面から出射面１４ａに垂直な方向へ出射させた平行光とを用いる。インテグレータ１４の出射面１４ａは横：縦＝４：３の矩形とする。
【００３３】
図３は、インテグレータ１４から平行光３０を出射させた場合の、インテグレータ１４及びダブレットレンズ１５を図２の矢印Ａ方向に見た正面図である。図３において、一点鎖線は光軸、破線は平行光３０の上下方向の最外郭の光路を示している。
【００３４】
図３に示すように、平行光３０はインテグレータ１４の出射面１４ａの全面から出射させる。出射面１４ａから出射した平行光３０はダブレットレンズ１５に入射し、ダブレットレンズ１５からの出射光は一旦収束してから発散する。
【００３５】
図４は、インテグレータ１４から発散光３１を出射させた場合の、インテグレータ１４及びダブレットレンズ１５を図２の矢印Ａ方向に見た正面図である。図４において、一点鎖線は光軸、二点鎖線は発散光３１の上下方向の最外郭の光路を示している。
【００３６】
図４に示すように、発散光３１はインテグレータ１４の出射面１４ａの中心から、ランプ２の出射光が収束する角度で出射させる。出射面１４ａから出射した発散光３１はダブレットレンズ１５に入射し、ダブレットレンズ１５からの出射光はほぼ平行になる。なお、シミュレーションで用いる発散光３１は所定角で出射させればよく、上記のランプ２の出射光が収束する角度のように、実際の製品でインテグレータ１４から出射される光線の出射角に基づいて決めればよい。
【００３７】
図５は、図３と図４を重ねた図である。実際の製品におけるインテグレータ１４からの出射光は、上記の平行光３０から発散光３１までの間の様々な角度の光線を含んでいるので、これら平行光３０と発散光３１が重なってできた光線が実際の製品に近い光線であるといえる。したがって、平行光３０と発散光３１の重なり具合に基づいてミラー１６の最適な位置を算出することができる。
【００３８】
ミラー１６の位置としては、上記の発散光３１と平行光３０とを、光軸に垂直な同じ断面で比較した場合、発散光３１の断面積と平行光３０の断面積との差が最小になる断面と、光軸と、の交点上に配置することが最適である。断面の例を図６〜図８に示す。図６は、図５のＢ−Ｂ線断面図、図７は、図５のＣ−Ｃ線断面図、図８は、図５のＤ−Ｄ線断面図である。
【００３９】
図６に示すように、ダブレットレンズ１５に近いＢ−Ｂ線断面においては、平行光３０の断面が発散光３１の断面に覆われている。つまり、平行光３０の断面積が発散光３１の断面積よりも小さい。
【００４０】
また図７に示すように、Ｂ−Ｂ線よりもダブレットレンズ１５から離れたＣ−Ｃ線断面においては、平行光３０の断面と発散光３１の断面とがほぼ重なっている。つまり、平行光３０の断面積と発散光の断面積とがほぼ同じである。
【００４１】
また図８に示すように、Ｃ−Ｃ線よりもダブレットレンズ１５から離れたＤ−Ｄ線断面においては、発散光３１の断面が平行光３０の断面に覆われている。つまり、発散光３１の断面積が平行光３０の断面積よりも小さい。
【００４２】
図６〜図８のそれぞれにおいて、発散光３１の断面積と平行光３０の断面積との差を算出すると、図７に示すＣ−Ｃ線断面でその差が最小になることがわかる。つまり、この位置が照度分布の偏りが最も小さい位置であるといえる。したがって、ミラー１６は、Ｃ−Ｃ線断面と光軸との交点Ｅ上に配置するのが最適である。ここにミラー１６を配置すれば、ミラー１６面上での照度分布の偏りが最も小さくなり、画像生成素子３上の照度分布、ひいてはスクリーン上の照度分布の偏りが最も小さくなり、照度ムラの少ない画像を投影することができる。実際にミラー１６を配置する際は、交点Ｅとミラー１６面の中心とが重なるようにし、設置角度はミラー１６以降の光学エンジン５の配置を考慮して決めればよい。
【００４３】
また、ミラー１６の位置としては、上記の他にも、発散光３１と平行光３０とを、光軸に垂直な同じ断面で比較した場合、発散光３１のインテグレータ１４の短辺方向の幅（図５の上下方向）と平行光３０のインテグレータ１４の短辺方向の幅（図５の上下方向）とが一致する断面と、光軸と、の交点上に配置してもよい。図９に、その断面の例を示す。図９は、図５のＦ−Ｆ線断面図である。
【００４４】
図９に示すように、Ｃ−Ｃ線とＤ−Ｄ線との間のＦ−Ｆ線断面においては、平行光３０の断面と発散光３１の断面との上下方向の幅が一致している。つまり、この位置は上下方向の照度分布の偏りが小さくなる位置であるといえる。したがって、ミラー１６は、Ｆ−Ｆ線断面と光軸との交点Ｇ上に配置すればよい。ここにミラー１６を配置すれば、ミラー１６面上での上下方向の照度分布の偏りが小さくなり、画像生成素子３上の上下方向の照度分布、ひいてはスクリーン上の上下方向の照度分布の偏りが小さくなり、スクリーンの上下方向の両端部において照度ムラの少ない画像を投影することができる。実際にミラー１６を配置する際は、交点Ｇとミラー１６面の中心とが重なるようにし、設置角度はミラー１６以降の光学エンジン５の配置を考慮して決めればよい。
【００４５】
さらに、ミラー１６の位置としては、上記の他にも、発散光３１と平行光３０とを、光軸に垂直な同じ断面で比較した場合、発散光３１のインテグレータ１４の長辺方向の幅（図５の紙面に垂直な方向）と平行光３０のインテグレータ１４の長辺方向の幅（図５の紙面に垂直な方向）とが一致する断面と、光軸と、の交点上に配置してもよい。図１０に、その断面の例を示す。図１０は、図５のＨ−Ｈ線断面図である。
【００４６】
図１０に示すように、Ｂ−Ｂ線とＣ−Ｃ線との間のＨ−Ｈ線断面においては、平行光３０の断面と発散光３１の断面との左右方向（インテグレータ１４の長辺方向）の幅が一致している。つまり、この位置は左右方向の照度分布の偏りが小さくなる位置であるといえる。したがって、ミラー１６は、Ｈ−Ｈ線断面と光軸との交点Ｉ上に配置すればよい。ここにミラー１６を配置すれば、ミラー１６面上での左右方向の照度分布の偏りが小さくなり、画像生成素子３上の左右方向の照度分布、ひいてはスクリーン上の左右方向の照度分布の偏りが小さくなり、スクリーンの左右方向の両端部において照度ムラの少ない画像を投影することができる。実際にミラー１６を配置する際は、交点Ｉとミラー１６面の中心とが重なるようにし、設置角度はミラー１６以降の光学エンジン５の配置を考慮して決めればよい。
【産業上の利用可能性】
【００４７】
本発明は、ＤＬＰ方式のプロジェクタに利用することができる。
【図面の簡単な説明】
【００４８】
【図１】本発明のプロジェクタの外観を示す斜視図である。
【図２】図１のプロジェクタの光学エンジンの構成を示す一部破断した平面図である。
【図３】インテグレータから平行光を出射させた場合の、インテグレータ及びダブレットレンズを図２の矢印Ａ方向に見た正面図である。
【図４】インテグレータから発散光を出射させた場合の、インテグレータ及びダブレットレンズを図２の矢印Ａ方向に見た正面図である。
【図５】図３と図４を重ねた図である。
【図６】図５のＢ−Ｂ線断面図である。
【図７】図５のＣ−Ｃ線断面図である。
【図８】図５のＤ−Ｄ線断面図である。
【図９】図５のＦ−Ｆ線断面図である。
【図１０】図５のＨ−Ｈ線断面図である。
【符号の説明】
【００４９】
１    プロジェクタ
２    ランプ
３    画像生成素子
４    プロジェクションレンズ
５    光学エンジン
１２    カラーホイール
１４    インテグレータ
１５    ダブレットレンズ
１６    ミラー
１７    リレーレンズ
【図１】
2008139723.tif 000003
【図２】
2008139723.tif 000004
【図３】
2008139723.tif 000005
【図４】
2008139723.tif 000006
【図５】
2008139723.tif 000007
【図６】
2008139723.tif 000008
【図７】
2008139723.tif 000009
【図８】
2008139723.tif 000010
【図９】
2008139723.tif 000011
【図１０】
2008139723.tif 000012